(57)【要約】【課題】吸収性材料の無駄がなく、かつ、効果的に漏れを抑制することができる吸収性物品を提供する。【解決手段】吸収性物品１において、吸収体６０の上面、下面、又は層間には、吸収シート７０が設けられている。吸収シート７０は、透液性の上面シート７１と、下面シート７２と、水分を吸収して膨潤する粒状のポリマー７３とを有している。上面シート７１と下面シート７２は、互いに平行な複数の接合部７５により接合されている。ポリマー７３は、隣接する接合部７５と、上面シート７１及び下面シート７２とに囲まれた筒状の空間Ｓに、乾燥状態において移動が規制され、水分の吸収時に移動の規制が解除される状態で保持されている。【選択図】図６
2015009007.tif 000002
【特許請求の範囲】
【請求項１】
透液性の表面シートと、裏面シートと、装着時に前記表面シートと前記裏面シートとの間に人体の腹側部から股間部を通って背側部にかけて介装される１層又は複数層の吸収体とを備える吸収性物品において、
前記吸収体の上面、下面又は層間には、吸収シートが設けられ、
前記吸収シートは、透液性の上面シートと、下面シートと、水分を吸収して膨潤する粒状の吸収性材料とを有し、
前記上面シートと前記下面シートは、複数の接合部により接合され、前記吸収性材料は、隣接する前記接合部と、前記上面シート及び前記下面シートとに囲まれた空間に、乾燥状態において移動が規制され、水分の吸収時に前記移動の規制が解除される状態で保持されている吸収性物品。
【請求項２】
複数の前記接合部は、互いに平行であり、前記吸収性材料は、隣接する前記接合部と、前記上面シート及び前記下面シートとに囲まれた筒状の空間に保持されている請求項１に記載の吸収性物品。
【請求項３】
前記吸収性材料は、水溶性接着部材により前記上面シート又は前記下面シートの少なくとも一方に固定されて保持されている請求項１又は２に記載の吸収性物品。
【請求項４】
前記筒状の空間のそれぞれの長手方向における複数の位置において、前記上面シートと前記下面シートとが前記吸収性材料の膨潤により剥がれる接着力で接着部材により接着され、前記吸収性材料は、当該接着により区分けされたそれぞれの空間に保持されている請求項２に記載の吸収性物品。
【請求項５】
前記吸収体は、前記股間部の幅方向の両側に刳り抜き部を有し、
前記吸収シートは、少なくとも前記刳り抜き部を覆うように設けられ、複数の前記接合部は、前記吸収体の前記刳り抜き部の間に介在する領域に対応する部分に形成されている請求項１〜４の何れか一項に記載の吸収性物品。
【請求項６】
複数の前記接合部の長手方向は、前記吸収性物品の幅方向である請求項５に記載の吸収性物品。
【発明の詳細な説明】
【技術分野】
【０００１】
本発明は、吸収性物品に関する。
【背景技術】
【０００２】
従来、おむつや、おむつカバー等の外装体の内側に取り付けられて使用される吸収性物品が知られている。吸収性物品に用いられる吸収体としては、高吸収性ポリマー等の粒状の吸収性材料をパルプ繊維に均一に分布させてホットメルト等で固定したものが使用されている。しかし、このような吸収体を介護用のおむつに使用した場合、着用者は横向き体勢であることが多く、体勢変換を行わない場合等には吸収性材料が使用されず無駄が多い。
【０００３】
そこで、例えば、特許文献１には、吸収ポリマーがおむつの幅方向のポケットの一端から他端に亘って自由に移動できるように構成し、吸収ポリマーを効率よく活用できるようにした吸収性物品用の吸収シートが記載されている。
【先行技術文献】
【特許文献】
【０００４】
【特許文献１】特開２００９−１３１５１０号公報
【発明の概要】
【発明が解決しようとする課題】
【０００５】
しかしながら、特許文献１の吸収シートでは横向き体勢時はほとんどの吸収ポリマーが下側に移動して排尿時に水分を吸収して膨潤するので、その後に体勢を変更した場合には、吸収ポリマーがポケット内を移動することが困難となり、新たに下側となった領域で十分な吸収性能を確保できなくなり、尿漏れが発生してしまう。吸収ポリマーの無駄も多い。
【０００６】
本発明の課題は、吸収性材料の無駄がなく、かつ、効果的に漏れを抑制することができる吸収性物品を提供することである。
【課題を解決するための手段】
【０００７】
前記課題を解決するために、請求項１に記載の発明は、
透液性の表面シートと、裏面シートと、装着時に前記表面シートと前記裏面シートとの間に人体の腹側部から股間部を通って背側部にかけて介装される１層又は複数層の吸収体とを備える吸収性物品において、
前記吸収体の上面、下面又は層間には、吸収シートが設けられ、
前記吸収シートは、透液性の上面シートと、下面シートと、水分を吸収して膨潤する粒状の吸収性材料とを有し、
前記上面シートと前記下面シートは、複数の接合部により接合され、前記吸収性材料は、隣接する前記接合部と、前記上面シート及び前記下面シートとに囲まれた空間に、乾燥状態において移動が規制され、水分の吸収時に前記移動の規制が解除される状態で保持されている。
【０００８】
請求項２に記載の発明は、請求項１に記載の発明において、
複数の前記接合部は、互いに平行であり、前記吸収性材料は、隣接する前記接合部と、前記上面シート及び前記下面シートとに囲まれた筒状の空間に保持されている。
【０００９】
請求項３に記載の発明は、請求項１又は２に記載の発明において、
前記吸収性材料は、水溶性接着部材により前記上面シート又は前記下面シートの少なくとも一方に固定されて保持されている。
【００１０】
請求項４に記載の発明は、請求項２に記載の発明において、
前記筒状の空間のそれぞれの長手方向における複数の位置において、前記上面シートと前記下面シートとが前記吸収性材料の膨潤により剥がれる接着力で接着部材により接着され、前記吸収性材料は、当該接着により区分けされたそれぞれの空間に保持されている。
【００１１】
請求項５に記載の発明は、請求項１〜４の何れか一項に記載の発明において、
前記吸収体は、前記股間部の幅方向の両側に刳り抜き部を有し、
前記吸収シートは、少なくとも前記刳り抜き部を覆うように設けられ、複数の前記接合部は、前記吸収体の前記刳り抜き部の間に介在する領域に対応する部分に形成されている。
【００１２】
請求項６に記載の発明は、請求項５に記載の発明において、
複数の前記接合部の長手方向は、前記吸収性物品の幅方向である。
【発明の効果】
【００１３】
本発明の吸収性物品によれば、排尿が行われると、吸収シートにおいて排尿位置よりも下側にある吸収性材料は、尿の水分を吸収して限られた空間内で膨潤し、膨潤した吸収性材料同士で互いに反発して押し合うことで移動する。その結果、吸収性材料が存在しなかった領域に新規の吸収領域を形成して吸収性能をもたせることができ、尿の漏れを効果的に抑制することができる。また、予め吸収性材料を配置しておく領域を制限することができ、吸収性材料の無駄を抑制することができる。排尿時に上側に位置していた吸収性材料は、未使用のまま残るので、体勢が変更された場合に使用することができ、吸収性材料を有効活用して無駄を抑えることができる。更に、尿を吸収した吸収性材料が膨潤することによって、接合部の部分に溝が形成されるので、この溝に沿って尿を流れやすくして拡散させることができる。
【図面の簡単な説明】
【００１４】
【図１】吸収性物品の装着時の状態の一例を示す斜視図である。
【図２】図１の吸収性物品の下側の平面展開図である。
【図３】図１の吸収性物品の上側の平面展開図である。
【図４】図３のＩＶ−ＩＶ線における断面図である。
【図５】吸収シートの吸収体に対する位置関係を模式的に示す図である。
【図６】吸収シートの平面図である。
【図７】図６のＶ−Ｖ線における断面図である。
【図８】排尿後の吸収シートの平面図である。
【図９】排尿後の吸収シートのＶ−Ｖ線における断面図である。
【図１０】吸収性物品の他の例を示す図である。
【発明を実施するための形態】
【００１５】
以下、図を参照して、本発明の実施形態を詳細に説明する。ただし、発明の範囲は、図示例に限定されない。
【００１６】
［吸収性物品１の構成］
まず、本発明の実施形態における吸収性物品１の構成について説明する。なお、以下の吸収性物品１の構成説明では、吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向（幅方向）とする。
また、前後方向をＸ方向、左右方向をＹ方向、上下方向をＺ方向とする。
【００１７】
吸収性物品１は、例えば夜用又は長時間用の尿取りパッドであり、おむつやおむつカバー、パンツなどの人体に装着される外装体（図示省略）に着脱・交換自在に取り付けられて使用される。
【００１８】
図１〜４に示すように、吸収性物品１は、装着時に着用者の股間を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股間に位置する股間部１３を形成する。
背側部１２は、前後方向の長さが腹側部１１よりも長く形成されていてもよい。これにより、背側部１２によって着用者の背側を広く覆うことができる。
また、股間部１３の両縁部は、腹側部１１から背側部１２に亘って、装着時に着用者の脚周りに位置する二つの脚周り部１４，１４を形成する。脚周り部１４，１４には、糸ゴム等の平面ギャザー用弾性部材がそれぞれ設けられることが好ましい。これにより、着用者の脚周りに伸縮自在にフィットするため、横漏れを抑制できるとともに、着用者の身体の動きに追従し易く吸収性物品１がズレ難くなる。
【００１９】
吸収性物品１は、装着時に着用者との接触面側（上側）に設けられる透液性の表面シート２０と、装着時に着用者との接触面と反対側（下側）に設けられる裏面シート３０と、装着時に着用者との接触面と反対側の外部側に設けられる不織布からなるバックシート４０と、表面シート２０と裏面シート３０との間に介装される吸収体６０と、吸収体６０の下面に設けられた吸収シート７０と、表面シート２０側の吸収体６０の幅方向両側縁部（左側縁部及び右側縁部）に、吸収性物品１の長手方向に沿って備えられたギャザーシート５０，５０と、バックシート４０における腹側部１１に設けられ、吸収性物品１を外装体に固定するための固定部材９０と、により主に構成される。
【００２０】
表面シート２０は、吸収性物品１を装着した際に着用者に接する面を形成し、吸収体６０の上側に設けられ、尿などの水様成分を含む体液等を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維、又はこれらの複合体を繊維素材として、スパンレース法、エアスルー法、ポイントボンド法、エアレイド法、スパンボンド法、サーマルボンド法、メルトブローン法、ニードルパンチ法等の適宜の加工法によって加工したものを用い得る。
【００２１】
裏面シート３０は、吸収シート７０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、必ずしも不透液性のシートでなくても良い。
【００２２】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。
また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２３】
ギャザーシート５０，５０は、表面シート２０側において、吸収体６０のＸ方向に沿った両側縁部に、腹側部１１から背側部１２に亘ってそれぞれ備えられている（図３参照）。
このギャザーシート５０，５０の左右方向外側の部分は、吸収体６０の側方で表面シート２０及び裏面シート３０の上面に固着されている。また、このギャザーシート５０，５０の左右方向内側の部分は、表面シート２０及び裏面シート３０に固定されておらず、その前後方向に沿って糸ゴム等の立体ギャザー用弾性部材５０１が備えられており、起立して着用者の体型に合わせて伸縮自在に変形可能な一対の立体ギャザーが形成されている。
【００２４】
吸収体６０は、その長手方向の長さが、吸収性物品１の長手方向の長さとほぼ等しくなるように、腹側部１１から股間部１３を通り背側部１２に亘る位置に配置され、吸収性物品１の使用時に尿等の体液を吸収する役割を果たすものである。
吸収体６０は、所謂フィットカット形状の吸収体であり、ゴワつきのない良好な着用感で着用者の股下にフィットするように、股間部１３の幅方向の両側（左右両側）の脚周りに相当する部分が凹となるように刳り抜き部６０１が形成されている。
【００２５】
吸収体６０は、図４に示すように、綿やパルプなどの吸収性素材や、繊維或いはフィルム等のシート状基材と高吸収性ポリマーのような高吸水性樹脂（ＳＡＰ；Super Absorbent Polymer）とが組み合わされて形成された吸収体コア６２が、透液性の被覆部材６１により覆われて構成されている。高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
なお、吸収性物品１は、吸収シート７０を備えているため、吸収体コア６２に含まれる高吸水性樹脂は少量或いはなしとしてもよい。
被覆部材６１としては、例えば、クレープ紙や透液性の不織布や孔開きシートなどが用いられる。
【００２６】
吸収シート７０は、吸収体６０の下面に設けられている。図５に、吸収シート７０の吸収体６０に対する位置関係を模式的に示す。図５においては、吸収シート７０の吸収体６０に対する位置関係を判りやすくするため、透視図で示している。
図５に示すように、吸収シート７０（上面シート７１、下面シート７２）は、少なくとも左右両側の刳り抜き部６０１及びその間に介在する吸収体６０を覆うことのできるサイズを有する長方形状のシートである。即ち、吸収シート７０の前後方向の長さは、少なくとも刳り抜き部６０１の前後方向の長さを有し、左右方向の長さは、表面シート２０及び裏面シート３０の左右方向と略同等の長さを有する。
【００２７】
図６に、吸収シート７０の平面図を示す。図７に、吸収シート７０のＶ−Ｖ断面図を示す。なお、図６は、透視図として示している。図６、７に示すように、吸収シート７０は、上面シート７１と、下面シート７２と、これら両シート７１、７２の間に保持された吸収性材料（以下、ポリマーと称する）７３を具備する。上面シート７１は、例えば不織布等の、透液性を有するシートである。下面シート７２は、例えばポリシート等の不透液性のシートであることが好ましいが、これに限定されるものではない。ポリマー７３は、水分の吸収により膨潤する粒状の吸収性材料であり、例えば、上述の高吸収性樹脂等である。
【００２８】
上面シート７１と下面シート７２は、図６に太線（白線）で示す位置において、例えば、ホットメルト型接着剤、ヒートシール、超音波シール等により互いに接合されている。この上面シート７１と下面シート７２が互いに接合されている部分を接合部と呼ぶ。吸収シート７０において、吸収体６０の、左右両側の刳り抜き部６０１に介在する領域に対応する部分には、吸収シート７０の幅方向に延びる互いに平行な複数の接合部７５が、前後方向の所定間隔毎に設けられている。ポリマー７３は、隣接する接合部７５、及びその間の上面シート７１、下面シート７２によって囲まれた筒状の空間Ｓに、乾燥状態において移動が規制された状態で保持されている。例えば、ポリマー７３は、上面シート７１又は下面シート７２の少なくとも一方に、水溶性の接着剤等の接着部材によって固定されている。
【００２９】
固定部材９０は、吸収性物品１を外装体に接着させて固定する役割を果たす粘着テープであり、剥離紙を剥がすと粘着部分が露出するようになっている。
固定部材９０は、例えば、略矩形状をなしており（図２参照）、吸収性物品１を装着した際に着用者に接する面と反対側の面（バックシート４０の下面）における腹側部１１の中央部に備えられている。
固定部材９０の配置位置は、吸収性物品１のめくれを抑制してズレ難くする等の観点から、腹側部１１のより前側であることが好ましい。固定部材９０のサイズは、吸収性物品１を外装体にしっかりと固定させることができる大きさであれば特に限定されない。
なお、固定部材９０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００３０】
［吸収シート７０の作用］
次に、吸収性物品１に備えられている吸収シート７０の作用について説明する。以下の説明において、上（上側）、下（下側）は重力方向の上（上側）、下（下側）を指す。
【００３１】
図８に、排尿後の吸収シート７０の上面を模式的に示す。図９に、排尿後の吸収シート７０のＶ−Ｖ断面を模式的に示す。なお、図８は、透視図として示している。
例えば、左側を下側にした横向き体勢で排尿が行われると、排尿された尿が排尿位置よりも下側に流れる。吸収シート７０の排尿位置よりも下側（図８の領域Ａ２）にあるポリマー７３は、尿の水分により上面シート７１又は下面シート７２（双方に接着されている場合は双方）との接着が解除されるとともに、図８、図９に示すように尿の水分を吸収して筒状の空間Ｓ内で膨潤し、膨潤した吸収性材料同士で互いに反発して押し合うことで、尿の流れに従って空間Ｓの長手方向に押し出されて下側の刳り抜き部６０１（左側）に対応する領域に移動する。その結果、下側となった刳り抜き部６０１に対応する領域にポリマー７３が充填され、新規の吸収領域が形成されるので、吸収機能のなかった刳り抜き部６０１にも吸収性を持たせ、効果的に横漏れを抑制することができる。
【００３２】
また、図９に示すように、尿を吸収したポリマー７３が膨潤することによって、接合部７５の部分に溝が形成されるので、この溝に沿って尿を流れやすくして拡散させることができる。
【００３３】
また、排尿時に上側（領域Ａ１）に位置していたポリマー７３は、未使用のまま残るので、体勢が変更された場合に使用することができ、ポリマー７３を有効活用して無駄を抑えることができる。
【００３４】
以上説明したように、吸収性物品１において、吸収体６０の下面には吸収シート７０が設けられている。吸収シート７０は、透液性の上面シート７１と、下面シート７２と、水分を吸収して膨潤する粒状のポリマー７３とを有している。上面シート７１と下面シート７２は、互いに平行な複数の接合部７５により接合されている。ポリマー７３は、隣接する接合部７５と、上面シート７１及び下面シート７２とに囲まれた筒状の空間Ｓに、乾燥状態において移動が規制され、水分の吸収時に移動の規制が解除される状態で保持されている。
【００３５】
従って、排尿が行われると、吸収シート７０の排尿位置よりも下側（図８の領域Ａ２）にあるポリマー７３は、尿の水分により上面シート７１又は下面シート７２（双方に接着されている場合は双方）との接着が解除されるとともに、尿の水分を吸収して筒状の空間Ｓ内で膨潤し、膨潤した吸収性材料同士で互いに反発して押し合うことで空間Ｓの長手方向に移動する。その結果、ポリマー７３が存在しなかった領域に新規の吸収領域を形成して吸収性能をもたせることができ、尿の漏れを効果的に抑制することができる。また、予めポリマー７３を配置しておく領域を制限することができ、ポリマー７３の無駄を抑制することができる。排尿時に上側に位置していたポリマー７３は、未使用のまま残るので、体勢が変更された場合に使用することができ、ポリマー７３を有効活用して無駄を抑えることができる。更に、尿を吸収したポリマー７３が膨潤することによって、接合部７５の部分に溝が形成されるので、この溝に沿って尿を流れやすくして拡散させることができる。
【００３６】
特に、吸収性物品１の吸収体６０は、股間部の幅方向の両側に刳り抜き部６０１を有し、吸収シート７０は、少なくとも刳り抜き部６０１を覆うように設けられ、複数の接合部７５は、吸収体６０の刳り抜き部６０１の間に介在する領域に対応する部分に、その長手方向が吸収性物品１の幅方向となるように形成されている。従って、脚周りの良好な着用感を維持しつつ、横向き体勢で排尿が行われた際には、下側となった刳り抜き部６０１に対応する領域にポリマー７３が充填されるので、吸収機能のなかった刳り抜き部６０１に吸収性を持たせ、横漏れを防止することが可能となる。
【００３７】
例えば、吸収性材料であるポリマー７３を、水溶性接着部材により上面シート７１又は下面シート７２の少なくとも一方に固定して空間Ｓに保持しておくことで、乾燥状態において移動が規制され、水分の吸収時に移動の規制が解除される状態でポリマー７３を保持することができる。
【００３８】
なお、本発明は、上記した実施形態のものに限るものではなく、その要旨を逸脱しない範囲で適宜変更可能である。
【００３９】
例えば、上記実施形態においては、フィットカット形状の吸収体６０の下面に吸収シート７０を設けた場合について説明したが、長方形形状の吸収体６０の下面に吸収シート７０を設けることとしてもよい。例えば、予め吸収体６０の脚周りにポリマー等の吸収性材料を配置していると体勢変更を行わない場合等に無駄が大きいが、吸収シート７０を設けることにより、吸収性材料を吸収体６０の脚周りに配置しておかなくとも脚周りに十分な吸収性能をもたせることができ、吸収性材料の無駄がなく、かつ尿もれを抑制することができる。
【００４０】
また、上記実施形態においては、吸収シート７０のポリマー７３が保持される筒状の空間Ｓの長手方向（即ち、接合部７５の長手方向）が吸収性物品１の幅方向である場合を例にとり説明したが、この方向は特に限定されない。例えば、仰向け体勢の多い着用者の場合は、筒状の空間Ｓの長手方向（即ち、接合部７５の長手方向）を吸収性物品１の長手方向とした吸収シート７０を用いることで、背側部１２の方向にポリマー７３を移動させることができ、尿漏れを効果的に抑制することができる。このように、吸収シート７０は、筒状の空間Ｓの長手方向（即ち、接合部７５の長手方向）によって、移動させたい任意の方向にポリマー７３を移動させ、吸収性をもたせることができる。  
【００４１】
また、上記実施形態においては、ポリマー７３を水溶性接着部材で上面シート７１又は下面シート７２の少なくとも一方に接着することで、排尿前の乾燥状態においてポリマー７３の移動を抑制することとしたが、これに限定されない。例えば、図１０に黒線で示すように、筒状の空間Ｓのそれぞれの長手方向における複数の位置において上面シート７１と下面シート７２とが接着部材により接着されるようにし、当該接着により区分けされたそれぞれの空間にポリマー７３を保持することで、乾燥状態におけるポリマー７３の移動を規制することとしてもよい。接着部材としては、水分の吸収によるポリマー７３の膨潤により接着が剥がれる程度の弱い接着力のものを用いる。このようにすれば、排尿前の乾燥状態においてポリマー７３の筒状の空間Ｓの長手方向（即ち、接合部７５と平行方向）への移動を規制することができ、排尿時には、その移動の規制を解除することができる。
【００４２】
また、上記実施形態においては、空間Ｓを筒状にして水分の吸収時にポリマー７３が一定の方向に移動しやすくするために、複数の接合部１５を互いに平行としたが、これに限定されない。例えば、隣り合う接合部１５同士がハの字型になっていてもよい。
【００４３】
また、上記実施形態においては、吸収体６０を一層とし、吸収体６０の下面に吸収シート７０を設けることとして説明したが、吸収体６０は複数層であってもよい。この場合、吸収シート７０は、吸収体６０の層間に設けることとしてもよい。また、吸収体６０の上面に吸収シート７０を設けることとしてもよい。
【００４４】
また、上記実施形態においては、空間Ｓが５つである場合を図示しているが、空間Ｓの数は特に限定されない。
【００４５】
また、吸収性物品として尿取りパッドを例示して説明しているが、吸収性物品は、例えば紙おむつや生理用パッド等であっても良い。
【００４６】
その他、吸収性物品１の細部構成に関しても、本発明の趣旨を逸脱することのない範囲で適宜変更可能である。
【符号の説明】
【００４７】
１  吸収性物品
１１  腹側部
１２  背側部
１３  股間部
１４，１４  脚周り部
２０  表面シート
３０  裏面シート
４０  バックシート
５０，５０  ギャザーシート
５０１  立体ギャザー用弾性部材
６０  吸収体
６０１  刳り抜き部
６１  被覆部材
６２  吸収体コア
７０  吸収シート
７１  上面シート
７２  下面シート
７３  ポリマー
７５  接合部
９０  固定部材
【図１】
2015009007.tif 000003
【図２】
2015009007.tif 000004
【図３】
2015009007.tif 000005
【図４】
2015009007.tif 000006
【図５】
2015009007.tif 000007
【図６】
2015009007.tif 000008
【図７】
2015009007.tif 000009
【図８】
2015009007.tif 000010
【図９】
2015009007.tif 000011
【図１０】
2015009007.tif 000012